(57)【要約】      （修正有）【課題】部品を簡略化し、組み立てを容易にし、製造コストを削減するネブライザを提供する。【解決手段】押圧式薬剤カップを有するネブライザ１０は、本体１、薬剤カップ２、嵌合構造３及び多方向弾性部材４を含む。多方向弾性部材は、収容室に取り付けられ、押圧本体４１を有する。押圧本体から、２つのストレート弾性アーム４２が延在して形成される。ストレート弾性アームと反対の方向に湾曲する２つの傾斜弾性アーム４３がストレート弾性アームから延在して形成される。各傾斜弾性アームは、係止部４３１を有する。押圧本体は、開口に挿入されて開口から露出する。２つの係止部は、２つの貫通孔３１３を貫通して２つの係合溝に係止されることで、薬剤カップを本体に着脱可能に取り付ける。【選択図】図１
2019005537.tif 000002
【特許請求の範囲】
【請求項１】
押圧式薬剤カップを有するネブライザであって、
本体と、
薬剤カップと、
内ボス部と、前記内ボス部の外側に配置される外突起部とを含み、前記内ボス部が前記本体及び前記薬剤カップのうちの一方から延在して形成され、前記外突起部が前記本体及び前記薬剤カップのうちの他方から延在して形成され、前記内ボス部の内部に収容室と、前記収容室に連通する開口及び２つの貫通孔とが設けられ、前記外突起部に２つの係合溝が設けられる嵌合構造と、
前記収容室に取り付けられ、押圧本体を有し、前記押圧本体から２つのストレート弾性アームが延在して形成され、２つの前記ストレート弾性アームから、２つの前記ストレート弾性アームとは反対の方向に湾曲する２つの傾斜弾性アームが延在して形成され、各前記傾斜弾性アームの端部が係止部を有し、前記押圧本体が前記開口に挿入されて前記開口から露出し、２つの前記係止部がそれぞれ前記貫通孔を貫通して２つの前記係合溝に係止される多方向弾性部材と、を含み、
前記押圧本体は押圧されると、２つの前記係止部を２つの前記貫通孔内に引き込んで２つの前記係合溝から離脱することにより、前記薬剤カップを前記本体に着脱可能に取り付けることを特徴とする、押圧式薬剤カップを有するネブライザ。
【請求項２】
復帰モジュールをさらに含み、
前記復帰モジュールは、前記収容室に収容される挟持片と、前記挟持片と前記押圧本体との間に挟持される復帰ばねとを含むことを特徴とする請求項１に記載の、押圧式薬剤カップを有するネブライザ。
【請求項３】
前記押圧本体から、前記収容室に収容される固定ロッドが延在して形成され、
前記復帰ばねは、前記固定ロッドに外嵌されるコイルばねであることを特徴とする請求項２に記載の、押圧式薬剤カップを有するネブライザ。
【請求項４】
前記嵌合構造は、２つの前記貫通孔の、前記押圧本体から離れる内側壁に形成される２つの第１係止当接部をさらに含み、
２つの前記第１係止当接部は、２つの前記係止部にそれぞれ当接することを特徴とする請求項１に記載の、押圧式薬剤カップを有するネブライザ。
【請求項５】
各前記傾斜弾性アームの外側は、外傾斜辺を有し、
前記嵌合構造は、２つの第１係止当接部をさらに含み、
２つの前記第１係止当接部は、前記収容室に収容され、２つの前記傾斜弾性アームの前記外傾斜辺にそれぞれ当接することを特徴とする請求項１に記載の、押圧式薬剤カップを有するネブライザ。
【請求項６】
前記嵌合構造は、２つの前記貫通孔の、前記押圧本体に隣接する内側壁に形成される２つの第２係止当接部をさらに含み、
２つの前記第２係止当接部は、２つの前記係止部にそれぞれ当接することを特徴とする請求項４または５に記載の、押圧式薬剤カップを有するネブライザ。
【請求項７】
前記押圧本体が前記開口から露出する場合、各前記傾斜弾性アームと前記ストレート弾性アームとは第１鋭角をなすことを特徴とする請求項１に記載の、押圧式薬剤カップを有するネブライザ。
【請求項８】
前記押圧本体が押圧されると、各前記傾斜弾性アームと前記ストレート弾性アームとは、前記第１鋭角よりも小さい第２鋭角をなすことを特徴とする請求項７に記載の、押圧式薬剤カップを有するネブライザ。
【請求項９】
前記薬剤カップには、噴霧口が設けられ、
前記薬剤カップの内部は、前記噴霧口に互いに連通する薬液室を有することを特徴とする請求項１に記載の、押圧式薬剤カップを有するネブライザ。
【請求項１０】
前記本体は、給電本体であり、
前記給電本体は、スイッチ及び複数の電極を有し、
前記薬剤カップは、複数の導電部を有し、
各前記電極は、各前記導電部に電気的に接続可能であることを特徴とする請求項８に記載の、押圧式薬剤カップを有するネブライザ。
【発明の詳細な説明】
【技術分野】
【０００１】
本発明は、ネブライザ構造に関し、特に押圧式薬剤カップを有するネブライザに関する。
【背景技術】
【０００２】
医療技術の進歩に伴って、患者が薬剤をより充分かつ容易に吸入するために、医療用ネブライザが研究開発され、市場に出回っている。ネブライザは、液状の薬剤を霧化した後、流路や噴口により霧化された薬剤を患者の口に送り込むことで、素早い治療を行うことができる。このため、現在、ネブライザは身近になった医療機器として存在している。
【０００３】
従来のネブライザとしては、主に、超音波式ネブライザやコンプレッサー式ネブライザがある。超音波式ネブライザでは、超音波により薬液を霧化する。一方、コンプレッサー式ネブライザでは、微小なノズルにより高速気流を形成し、生じた負圧作用によって液体や他の流体がバッフルに噴射され、噴射された液体や他の流体がバッフルに高速で衝突して周囲に飛散することで、液滴が霧状の粒子となって排気管から噴出される。
【発明の概要】
【発明が解決しようとする課題】
【０００４】
超音波式ネブライザ及びコンプレッサー式ネブライザでは、押圧による薬剤カップの交換が行われる。しかしながら、現在使用されている、押圧による薬剤カップの交換を行うネブライザは、二方向において作動するように、内部に複数のばねの装着が必要となる。このように、従来のネブライザは、組立部品が複雑化して製造コストを増やすなどの問題がある。したがって、ネブライザの製造者にとって、如何にして内部のばねや部品を簡略化するかがネブライザ改善の重要な課題となっている。
【０００５】
以上に鑑みて、本発明の発明者は、研究と理論の使用とによって、設計が合理的であり、有効に上記の欠点を改善、解決することができる本発明を得た。
【０００６】
従って、本発明は、従来の、内部に複数のばねの装着が必要となるネブライザに代わって、押圧による薬剤カップの交換を多方向弾性部材で実現することで、部品を簡略化し、組み立てを容易にし、製造コストを削減するなどのメリットを持つ、押圧式薬剤カップを有するネブライザを提供することを目的とする。
【課題を解決するための手段】
【０００７】
上記の目的を達成するために、本発明に係る押圧式薬剤カップを有するネブライザは、本体と、薬剤カップと、嵌合構造と、多方向弾性部材とを含む。前記嵌合構造は、内ボス部と、前記内ボス部の外側に配置される外突起部とを含む。前記内ボス部は、前記本体及び前記薬剤カップのうちの一方から延在して形成され、前記外突起部は、前記本体及び前記薬剤カップのうちの他方から延在して形成される。前記内ボス部の内部には、収容室と、前記収容室に連通する開口及び２つの貫通孔とが設けられる。前記外突起部には、２つの係合溝が設けられる。前記多方向弾性部材は、前記収容室に取り付けられ、押圧本体を有する。前記押圧本体から、２つのストレート弾性アームが延在して形成される。２つの前記ストレート弾性アームから、２つの前記ストレート弾性アームとは反対の方向に湾曲する２つの傾斜弾性アームが延在して形成される。各前記傾斜弾性アームの端部は、係止部を有する。前記押圧本体は、前記開口に挿入されて前記開口から露出する。２つの前記係止部は、それぞれ前記貫通孔を貫通して２つの前記係合溝に係止される。前記押圧本体は押圧されると、２つの前記係止部を２つの前記貫通孔内に引き込んで２つの前記係合溝から離脱することにより、前記薬剤カップを前記本体に着脱可能に取り付ける。
【発明の効果】
【０００８】
本発明によれば、多方向弾性部材は移動時に、押圧本体が開口から露出したり開口に引き込まれたりする方向と、係止部が貫通孔から露出したり貫通孔に引き込まれたりする方向との二方向に作動可能である。こうすることで、１つの多方向弾性部材は複数のばね部材に代わって、二方向に弾性的に作動することができる。
【図面の簡単な説明】
【０００９】
【図１】本発明の第１実施形態に係るネブライザの分解斜視図である。
【図２】本発明の第１実施形態に係るネブライザの他の分解斜視図である。
【図３】本発明の多方向弾性部材の斜視図である。
【図４】本発明の第１実施形態に係るネブライザの第１使用状態を説明するための図である。
【図５】本発明の第１実施形態に係るネブライザの組立斜視図である。
【図６】本発明の第１実施形態に係るネブライザの第２使用状態を説明するための図である。
【図７】本発明の第１実施形態に係るネブライザの第３使用状態を説明するための図である。
【図８】本発明の第１実施形態に係るネブライザの第４使用状態を説明するための図である。
【図９】本発明の第２実施形態に係るネブライザの第１使用状態を説明するための図である。
【図１０】本発明の第２実施形態に係るネブライザの第２使用状態を説明するための図である。
【発明を実施するための形態】
【００１０】
以下、本発明の技術内容及び詳細な説明について、図面を参照しつつ説明する。ただし、図面は、参照用および説明用に過ぎず、本発明を限定するものではない。
【００１１】
図１〜図８を参照しながら、本発明の第１実施形態に係る押圧式薬剤カップを有するネブライザを詳しく説明する。本実施形態に係るネブライザ１０は、主に、本体１、薬剤カップ２、嵌合構造３及び多方向弾性部材４を含む。
【００１２】
図１、図２、図４〜図８に示すように、本体１は、給電本体１１であり、すなわち、給電本体１１の内部に給電するためのバッテリーが設けられる。また、給電本体１１は、スイッチ１１１及び複数の電極１１２を有する。
【００１３】
図１、図２、図４〜図８に示すように、薬剤カップ２には、噴霧口２１が設けられる。また、薬剤カップ２の内部は、噴霧口２１に互いに連通する薬液室２２を有する。なお、薬剤カップ２の内部には、霧化部材（不図示）が取り付けられる。薬剤カップ２は、霧化部材に電気的に接続される複数の導電部２３を有する。各電極１１２は、各導電部２３に電気的に接続可能である。こうすることで、給電本体１１は霧化部材に給電することができる。
【００１４】
また、この霧化部材（不図示）は、超音波発振装置または空気圧縮装置であってもよい。超音波発振装置は、超音波により薬液室２２内における薬液を霧化して噴霧口２１から噴射する。空気圧縮装置では、圧縮空気により微小なノズルで高速気流を形成し、生じた負圧作用により薬液室２２内における薬液をバッフルに噴射し、噴射された薬液がバッフルに高速で衝突して周囲に飛散することで、液滴が霧状の粒子となって噴霧口２１から噴出される。
【００１５】
図１、図２、図４〜図８に示すように、嵌合構造３は、内ボス部３１と、内ボス部３１の外側に配置される外突起部３２とを含む。内ボス部３１は、本体１及び薬剤カップ２のうちの一方から延在して形成される。外突起部３２は、本体１及び薬剤カップ２のうちの他方から延在して形成される。内ボス部３１の内部には、収容室３１１と、収容室３１１に連通する開口３１２及び２つの貫通孔３１３とが設けられる。外突起部３２には、２つの係合溝３２１が設けられる。なお、本実施形態では、内ボス部３１が本体１から延在して形成され、外突起部３２が薬剤カップ２から延在して形成されるが、これらに限定されない。
【００１６】
詳細には、嵌合構造３は、２つの第１係止当接部３３と、２つの第２係止当接部３４とをさらに含む。２つの第１係止当接部３３は、２つの貫通孔３１３の押圧本体４１から離れる内側壁に形成される一方、２つの第２係止当接部３４は、２つの貫通孔３１３の押圧本体４１に隣接する内側壁に形成される。こうすることで、第１係止当接部３３及び第２係止当接部３４を各係止部４３１の両側にそれぞれ当接させる。図１〜図４及び図６〜図８に示すように、多方向弾性部材４は、収容室３１１に取り付けられ、押圧本体４１を有する。押圧本体４１から、２つのストレート弾性アーム４２が延在して形成される。２つのストレート弾性アーム４２から、ストレート弾性アーム４２とは反対の方向に湾曲する２つの傾斜弾性アーム４３が延在して形成される。各傾斜弾性アーム４３の端部は、係止部４３１を有する。また、各傾斜弾性アーム４３の外側は、外傾斜辺４３２を有する。押圧本体４１が開口３１２に挿入されて開口３１２から露出する場合、２つの係止部４３１は、それぞれ２つの貫通孔３１３を貫通して２つの貫通孔３１３から露出する。また、各傾斜弾性アーム４３とストレート弾性アーム４２とは、第１鋭角θをなす。
【００１７】
なお、押圧本体４１は押圧されると、２つの係止部４３１を２つの貫通孔３１３内に引き込んで２つの係合溝３２１から離脱させる。こうすることで、薬剤カップ２を本体１に着脱可能に取り付ける。
【００１８】
図１〜図８に示すように、本発明に係るネブライザ１０では、嵌合構造３が内ボス部３１と、内ボス部３１の外側に配置される外突起部３２とを含み、内ボス部３１が本体１及び薬剤カップ２のうちの一方から延在して形成され、外突起部３２が本体１及び薬剤カップ２のうちの他方から延在して形成され、収容室３１１と、収容室３１１に連通する開口３１２及び２つの貫通孔３１３とが内ボス部３１の内部に設けられ、２つの係合溝３２１が外突起部３２に設けられる。また、多方向弾性部材４は、収容室３１１に取り付けられ、押圧本体４１を有する。押圧本体４１から、２つのストレート弾性アーム４２が延在して形成される。２つのストレート弾性アーム４２から、ストレート弾性アーム４２とは反対の方向に湾曲する２つの傾斜弾性アーム４３が延在して形成される。各傾斜弾性アーム４３の端部は、係止部４３１を有する。押圧本体４１は、開口３１２に挿入されて開口３１２から露出する。２つの係止部４３１は、それぞれ２つの貫通孔３１３を貫通して２つの係合溝３２１に係止される。なお、押圧本体４１は押圧されると、２つの係止部４３１を２つの貫通孔３１３内に引き込んで２つの係合溝３２１から離脱させ、これにより、薬剤カップ２を本体１に着脱可能に取り付ける。こうすることで、従来の、内部に複数のばねの装着が必要となるネブライザに代わって、本発明に係るネブライザ１０は、押圧による薬剤カップ２の交換を多方向弾性部材４で実現することができる。その結果、ネブライザ１０は、部品を簡略化し、組み立てを容易にし、製造コストを削減するなどのメリットを持つ。
【００１９】
図４〜図８は、本発明の第１実施形態に係るネブライザの使用状態を説明するための図である。図４〜図６に示すように、内ボス部３１を外突起部３２に対応して嵌合し、２つの傾斜弾性アーム４３の係止部４３１を薬剤カップ２の２つの係合溝３２１に対応して係止することで、薬剤カップ２を本体１に装着することができる。図７及び図８に示すように、押圧本体４１を押圧すると、傾斜弾性アーム４３を移動させると同時に、各第１係止当接部３３を各係止部４３１に当接させるようになる。こうすることで、傾斜弾性アーム４３とストレート弾性アーム４２との間を圧縮して両者の間の角度が第２鋭角θ’をなす。なお、第２鋭角θ’は、第１鋭角θよりも小さい（図６を参照）。このため、２つの係止部４３１は、２つの貫通孔３１３内に引き込まれて２つの係合溝３２１から離脱する。その結果、薬剤カップ２を本体１から取り外す。
【００２０】
図６〜図８に示すように、第２係止当接部３４も各係止部４３１に当接させて各係止部４３１の変位を規制する。押圧本体４１への押圧力がなくなると、多方向弾性部材４は原形状に復元し、押圧本体４１が開口３１２から露出し、傾斜弾性アーム４３とストレート弾性アーム４２との間の圧縮力もなくなる。これにより、傾斜弾性アーム４３とストレート弾性アーム４２との間の角度は第２鋭角θ’から第１鋭角θに復元し、２つの係止部４３１も２つの貫通孔３１３からスムーズに露出するようになる。
【００２１】
図４、図６〜図８に示すように、本発明の他の実施形態では、押圧本体４１から、収容室３１１に収容される固定ロッド４１１が延在して形成されてもよい。ネブライザ１０は、復帰モジュール５をさらに含む。復帰モジュール５は、収容室３１１に収容される挟持片５１と、挟持片５１と押圧本体４１との間に挟持される復帰ばね５２とを含む。復帰ばね５２は、固定ロッド４１１に外嵌されるコイルばね５２１であり、押圧本体４１に押し付けることで、押圧本体４１を開口３１２から露出させる。押圧本体４１への押圧力がなくなると、復帰ばね５２は押し付け力を高めて多方向弾性部材４を原形状に復元させ、押圧本体４１を開口３１２から露出させる。この場合、２つの係止部４３１もより迅速且つスムーズに２つの貫通孔３１３から露出するようになる。
【００２２】
また、多方向弾性部材４は、押圧本体４１から延在して形成される２つのストレート弾性アーム４２と、２つのストレート弾性アーム４２から延在してストレート弾性アーム４２とは反対の方向に湾曲する２つの傾斜弾性アーム４３とを含むように設計される。このため、多方向弾性部材４は移動時に、押圧本体４１が開口３１２から露出したり開口３１２に引き込まれたりする方向と、係止部４３１が貫通孔３１３から露出したり貫通孔３１３に引き込まれたりする方向との二方向に作動可能である。こうすることで、１つの多方向弾性部材４は複数のばね部材に代わって、二方向に弾性的に作動することができる。
【００２３】
図９及び図１０に示すように、本発明の第２実施形態に係るネブライザ１０は、第１実施形態とほぼ同様であるが、第１係止当接部３３’の設置場所で第１実施形態と異なっている。
【００２４】
詳細には、嵌合構造３の２つの第１係止当接部３３’は、収容室３１１に収容されるとともに、２つの傾斜弾性アーム４３の外側の外傾斜辺４３２にそれぞれ当接する。こうすることで、押圧本体４１により傾斜弾性アーム４３を移動させる場合には、２つの第１係止当接部３３’が２つの傾斜弾性アーム４３の外側の外傾斜辺４３２に当接し、２つの係止部４３１を２つの貫通孔３１３内に引き込んで２つの係合溝３２１から離脱させる。その結果、薬剤カップ２を本体１から取り外す目的を果たす。
【００２５】
なお、本発明に係るネブライザ１０の内ボス部３１と外突起部３２の構造を互いに逆の位置に設けてもよい。すなわち、内ボス部３１が本体１から延在して形成されるとともに外突起部３２が薬剤カップ２から延在して形成されてもよいし（図１〜図８を参照）、内ボス部３１が薬剤カップ２から延在して形成されるとともに外突起部３２が本体１から延在して形成されてもよい（不図示）。
【００２６】
以上により、内ボス部３１が薬剤カップ２から延在して形成され、外突起部３２が本体１から延在して形成されてもよいが、内ボス部３１が外突起部３２に対応して嵌合され、多方向弾性部材４が収容室３１１（内ボス部３１の内部）に取り付けられるようになる。こうすることで、薬剤カップ２を本体１に着脱する原理に変わりはなく、第１実施形態と同様の作用や効果を奏することができる。
【００２７】
上記をまとめるに、本発明に係る押圧式薬剤カップを有するネブライザは、同類の製品に見られず、公開使用もされていなく、産業上の利用可能性、新規性および進歩性を備えていることから、発明特許の出願要件を完全に満たすため、ここに特許法に基づき特許を出願するものである。審査官殿には、発明者の権利が保障されるよう、詳査のうえ本件が特許査定されることを願う。
【符号の説明】
【００２８】
１０  ネブライザ
１  本体
１１  給電本体
１１１  スイッチ
１１２  電極
２  薬剤カップ
２１  噴霧口
２２  薬液室
２３  導電部
３  嵌合構造
３１  内ボス部
３１１  収容室
３１２  開口
３１３  貫通孔
３２  外突起部
３２１  係合溝
３３、３３’ 第１係止当接部
３４  第２係止当接部
４  多方向弾性部材
４１  押圧本体
４１１  固定ロッド
４２  ストレート弾性アーム
４３  傾斜弾性アーム
４３１  係止部
４３２  外傾斜辺
５  復帰モジュール
５１  挟持片
５２  復帰ばね
５２１  コイルばね
θ  第１鋭角
θ’  第２鋭角
【図１】
2019005537.tif 000003
【図２】
2019005537.tif 000004
【図３】
2019005537.tif 000005
【図４】
2019005537.tif 000006
【図５】
2019005537.tif 000007
【図６】
2019005537.tif 000008
【図７】
2019005537.tif 000009
【図８】
2019005537.tif 000010
【図９】
2019005537.tif 000011
【図１０】
2019005537.tif 000012